(57)【特許請求の範囲】
【請求項１】
電子文書の領域を示す領域情報と、前記電子文書を格納する格納先を示す格納先情報と、前記格納先の電子文書の雛型である雛型電子文書の雛型情報とを対応付けて記憶する記憶手段と、
前記電子文書及び前記雛型電子文書を表示する表示手段と、
前記格納先が指定されたとき、前記記憶手段によって前記格納先に対応付けて記憶される領域情報に対応する領域を他の領域に比べて拡大表示するよう、前記表示手段を制御する入出力制御手段と
を有する電子文書処理装置。
【請求項２】
前記入出力制御手段は、
前記格納先が指定されたとき、前記電子文書と、前記記憶手段によって前記格納先に対応付けて記憶される前記雛型電子文書とを縮小表示し、縮小表示された前記電子文書及び前記雛型電子文書において、前記記憶手段によって前記格納先に対応付けて記憶される領域情報に対応する領域を他の領域に比べて拡大表示する
請求項１に記載の電子文書処理装置。
【請求項３】
前記記憶手段は、複数の前記領域情報と、前記格納先情報とを対応付けて記憶し、
前記入出力制御手段は、
前記格納先が指定されたとき、前記記憶手段によって前記格納先に対応付けて記憶される複数の前記領域情報に対応する複数の領域を他の領域に比べて拡大表示する
請求項１に記載の電子文書処理装置。
【請求項４】
前記入出力制御手段は、
前記格納先が指定されたとき、前記記憶手段によって前記格納先に対応付けて記憶される前記領域情報に対応する領域をポップアップ表示する
請求項１に記載の電子文書処理装置。
【請求項５】
コンピュータを、
電子文書の領域を示す領域情報と、前記電子文書を格納する格納先を示す格納先情報と、前記格納先の電子文書の雛型である雛型電子文書の雛型情報とを対応付けて記憶する記憶手段、
前記電子文書及び前記雛型電子文書を表示する表示手段及び
前記格納先が指定されたとき、前記記憶手段によって前記格納先に対応付けて記憶される領域情報に対応する領域を他の領域に比べて拡大表示するよう、前記表示手段を制御する入出力制御手段
として機能させるためのプログラム。
【発明の詳細な説明】
【技術分野】
【０００１】
本発明は、電子文書処理装置及びプログラムに関する。
【背景技術】
【０００２】
特許文献１には、原稿の処理対象面から読み取った画像と、処理対象面の反対面から読み取った裏写り画像とから、処理対象面に付された特定部分画像を検出して、処理対象面から読み取った画像に分類情報を付して記憶手段に記憶する画像処理装置が記載されている。
特許文献２には、ユーザに注目される領域である複数の注目領域を画像から検出し、検出した注目領域に基づいてサムネイル画像を生成し、注目領域が所定の順序又は所定の位置関係で表示されるようサムネイル画像を表示する画像処理装置が記載されている。
特許文献３には、地図の一部を拡大表示する一部拡大指令が入力された場合、拡大指示された範囲内の地図画像を一時的に退避させるとともに、拡大指示された部分のみを拡大して表示させた後、一部拡大指令が解除されたとき、一時的に退避された地図画像を用いて地図画像を復元して表示させる地図情報管理システムが記載されている。
【先行技術文献】
【特許文献】
【０００３】
【特許文献１】特開２００８−０７７１９７号公報
【特許文献２】特開２００９−０５５２７２号公報
【特許文献３】特開平０９−０５０５０９号公報
【発明の概要】
【発明が解決しようとする課題】
【０００４】
本発明の目的は、電子文書を格納するとき、格納先の電子文書の雛型である雛型電子文書を表示させ、電子文書の格納先を指定することができる電子文書処理装置及びプログラムを提供することにある。
【課題を解決するための手段】
【０００５】
[電子文書処理装置]
請求項１に係る本発明は、電子文書の領域を示す領域情報と、前記電子文書を格納する格納先を示す格納先情報と、前記格納先の電子文書の雛型である雛型電子文書の雛型情報とを対応付けて記憶する記憶手段と、前記電子文書及び前記雛型電子文書を表示する表示手段と、前記格納先が指定されたとき、前記記憶手段によって前記格納先に対応付けて記憶される領域情報に対応する領域を他の領域に比べて拡大表示するよう、前記表示手段を制御する表示制御手段とを有する電子文書処理装置である。
【０００６】
請求項２に係る本発明は、前記表示制御手段は、前記格納先が指定されたとき、前記電子文書と、前記記憶手段によって前記格納先に対応付けて記憶される前記雛型電子文書とを縮小表示し、縮小表示された前記電子文書及び前記雛型電子文書において、前記記憶手段によって前記格納先に対応付けて記憶される領域情報に対応する領域を他の領域に比べて拡大表示する請求項１に記載の電子文書処理装置である。
【０００７】
請求項３に係る本発明は、前記記憶手段は、複数の前記領域情報と、前記格納先情報とを対応付けて記憶し、前記表示制御手段は、前記格納先が指定されたとき、前記記憶手段によって前記格納先に対応付けて記憶される複数の前記領域情報に対応する複数の領域を他の領域に比べて拡大表示する請求項１に記載の電子文書処理装置である。
【０００８】
請求項４に係る本発明は、前記表示制御手段は、前記格納先が指定されたとき、前記記憶手段によって前記格納先に対応付けて記憶される前記領域情報に対応する領域をポップアップ表示する請求項１に記載の電子文書処理装置である。
【０００９】
[プログラム]
請求項５に係る本発明は、コンピュータを、電子文書の領域を示す領域情報と、前記電子文書を格納する格納先を示す格納先情報と、前記格納先の電子文書の雛型である雛型電子文書の雛型情報とを対応付けて記憶する記憶手段、前記電子文書及び前記雛型電子文書を表示する表示手段及び前記格納先が指定されたとき、前記記憶手段によって前記格納先に対応付けて記憶される領域情報に対応する領域を他の領域に比べて拡大表示するよう、前記表示手段を制御する表示制御手段として機能させるためのプログラムである。
【発明の効果】
【００１０】
請求項１及び５に係る本発明によれば、本構成を有していない場合に比べて、電子文書を格納するとき、格納先の電子文書の雛型である雛型電子文書を表示させ、雛型電子文書に対応付けられる格納先を電子文書の格納先として指定することができる電子文書処理装置を提供することができる。
【００１１】
請求項２に係る本発明によれば、請求項１に係る本発明による効果に加えて、本構成を有していない場合に比べて、格納される電子文書と、格納先の電子文書の雛型である雛型電子文書とを縮小表示させ、指定された領域を他の領域に比べて拡大表示して、電子文書の格納先を指定することができる電子文書処理装置を提供することができる。
【００１２】
請求項３に係る本発明によれば、請求項１に係る本発明による効果に加えて、本構成を有していない場合に比べて、格納先に対応付けられた電子文書の複数の領域をほかの領域に比べて拡大表示して、電子文書の格納先を指定することができる電子文書処理装置を提供することができる。
【００１３】
請求項４に係る本発明によれば、請求項１に係る本発明による効果に加えて、本構成を有していない場合に比べて、格納先に対応付けられた電子文書の領域をポップアップ表示して、電子文書の格納先を指定することができる電子文書処理装置を提供することができる。
【図面の簡単な説明】
【００１４】
【図１】本発明の実施形態に係る電子文書処理装置のハードウエア構成を示す図である。
【図２】第１の電子文書処理プログラムのソフトウエア構成を示す図である。
【図３】第１の電子文書処理プログラムの対応表記憶部２４４に記憶される対応表の例である。
【図４】第１の電子文書処理プログラムの動作フロー（Ｓ１０）を示すフローチャートである。
【図５Ａ】ディスプレイに表示される画面例である。
【図５Ｂ】ディスプレイに表示される画面例である。
【図５Ｃ】ディスプレイに表示される画面例である。
【図５Ｄ】ディスプレイに表示される画面例である。
【図５Ｅ】ディスプレイに表示される画面例である。
【図５Ｆ】ディスプレイに表示される画面例である。
【図６】第２の電子文書処理プログラムの動作フロー（Ｓ２０）を示すフローチャートである。
【図７Ａ】ディスプレイに表示される画面例である。
【図７Ｂ】ディスプレイに表示される画面例である。
【図７Ｃ】ディスプレイに表示される画面例である。
【発明を実施するための形態】
【００１５】
以下、本発明の実施形態を説明する。なお、以下の説明は本発明を実施するのにあたっての一例に過ぎず、本発明が以下に説明される事項に限定されるわけではなく、必要に応じて適宜変更可能である。
例えば、以下の本発明の実施形態において、スキャン文書がファイルサーバのフォルダに格納されるとして説明しているが、これに限らず、電子文書処理装置内で作成された電子文書が電子文書処理装置のフォルダに格納されてもかまわない。
また、電子文書処理装置のディスプレイなどに、フォルダに格納しようとする電子文書とともに表示されるのは、フォルダに格納される電子文書の雛型であるとして説明しているが、これに限らず、フォルダにすでに格納されている電子文書のいずれかであってもかまわない。例えば、格納されている電子文書のうち、作成日が最も新しいものとしてもよい。
なお、スキャン文書とは、スキャナによって読み取られた電子文書である。電子文書とは、テキストデータ、図形データ及び画像データなどのいずれか又はこれらの組合せによって構成される電子データであり、記憶、編集及び検索などの対象となり、システム又は利用者間において個別に送受信されるものをいい、これに類似するものを含む。また、電子文書の雛型とは、同種の電子文書に共通する形式及び様式などを示す電子データであり、電子文書を作成する際に見本となり得るものをいい、これに類似するものを含む。以下、電子文書の雛型は、単に雛型と記載する。
【００１６】
[電子文書処理装置のハードウエア構成]
図１は、本発明の実施形態に係る電子文書処理装置１のハードウエア構成を示す図である。図１に示すように、電子文書処理装置１は、メモリ１０、ＨＤＤ（Ｈａｒｄ  Ｄｉｓｋ  Ｄｒｉｖｅ）などの記憶装置１２、ＣＰＵ１４、ディスプレイなどの出力装置１６、キーボード及びマウス等の入力装置１８、及び、スキャナ及びファイルサーバなどの他の装置とデータを送受信する通信インターフェース（以下、通信ＩＦ２０）２０から構成される。
これらの構成要素は、制御バス２２を介して互いに通信可能に接続される。
【００１７】
メモリ１０は、後述する電子文書処理プログラムなどを記憶する。
記憶装置１２は、スキャン文書などを記憶する。
ＣＰＵ１４は、メモリ１０に記憶された電子文書処理プログラムなどに基づいて、スキャン文書などに対する所定の処理が実行されるよう、電子文書処理装置１の動作を制御する。
出力装置１６は、記憶装置１２に記憶された電子文書及び電子文書を格納するフォルダ（例えば、通信ＩＦ２０を介して接続されるファイルサーバのフォルダ）などをアイコンとして表示する。
【００１８】
入力装置１８は、ユーザから、電子文書に対する操作の入力などを受け付ける。
操作の入力として、例えば、出力装置１６に表示されるアイコンに対し、マウスのカーソルをアイコンに重ねた状態でマウスのボタンを押下し（クリック）、そのままの状態でマウスを移動し（ドラッグ）、移動後の場所でマウスのボタンを離す（ドロップ）ことが挙げられる。
なお、アイコンとは、電子文書処理装置１で実行される処理や処理の対象を、小さな絵や記号として表現したものであり、サムネイルとは、電子文書の内容を縮小して表示する画像である。
【００１９】
[電子文書処理装置のソフトウエア構成]
図２は、図１の電子文書処理装置１上で動作する第１の電子文書処理プログラム２４のソフトウエア構成を示す図である。
図２に示すように、第１の電子文書処理プログラム２４は、入出力制御部２４０、電子文書格納部２４２及び対応表記憶部２４４から構成される。
このような構成により、スキャン文書が自動的にフォルダに格納されるとともに、自動で格納されなかったスキャン文書はユーザによって手動でフォルダに格納される。
【００２０】
入出力制御部２４０は、図１の入力装置１８がユーザによる操作（ユーザ操作）の入力を受け付けた場合、このユーザ操作を電子文書格納部２４２に送信する。
入出力制御部２４０からのユーザ操作が、図１の記憶部１４に記憶されるスキャン文書を格納するものである場合、電子文書格納部２４２は、図１の通信ＩＦ２０を介して接続されるファイルサーバのフォルダなどにスキャン文書を格納する（自動格納）。
また、電子文書格納部２４２は、入出力制御部２４０からのユーザ操作に基づいて、通信ＩＦ２０を介して接続されるファイルサーバのフォルダなどにスキャン文書を格納する（手動格納）。
【００２１】
自動格納の場合、電子文書格納部２４２は、記憶装置１２に記憶されたスキャン文書を文字認識して、スキャン文書において、どの領域にどのような文字が含まれているかを解析する。
さらに、電子文書格納部２４２は、対応表記憶部２４４に記憶された対応表を読み出して、この対応表に基づいて、スキャン文書の種別を判断し、スキャン文書の種別に対応する格納先にスキャン文書を格納する。
【００２２】
対応表は、例えば、図３に示す形式で対応表記憶部２４４に記憶される。図３に示すように、対応表において、'種別'２４６、'領域'２４８、'文字'２５０、'格納先'２５２及び'雛型格納先'２５４という５つのデータ項目が対応付けられている。
例えば、スキャン文書において、領域Ａ｛Ｘ＝０，Ｙ＝０，Ｗｉｄｔｈ＝１００，Ｈｅｉｇｈｔ＝８０｝に'注文書'という文字が含まれる場合、スキャン文書の種別は'注文書'と判断され、スキャン文書は'Z:\注文書フォルダ'に格納される。
なお、図３の対応表においては、スキャン文書の種別ごとに異なる領域が対応付けられているが、同じ領域が対応付けられてもよい。また、格納対象となるスキャン文書等が、複数の格納先に分けて格納されてもよく、この場合には、図３の対応表において'格納先'２５２が設定されなくてもよい。
また、電子文書格納部２４２は、スキャン文書の画質が悪く文字認識できなかった及びいずれのスキャン文書の種別にも該当しなかったなどの理由によって、いずれのフォルダにも格納されなかったスキャン文書（以下、未格納スキャン文書）の情報を入出力制御部２４０に出力する。なお、電子文書格納部２４２は、未格納スキャン文書を予め定められたフォルダに格納してもよい。
【００２３】
手動格納の場合、入出力制御部２４０は、未格納スキャン文書と、対応表の'格納先'に記載されたフォルダとをアイコンとして表示するよう、図１の出力装置１６に出力される情報を制御する。以下、アイコンとして表示されるオブジェクトはかぎカッコを付して（例えば、「未格納スキャン文書」，「フォルダ」）記載し、オブジェクトそのものはかぎカッコを付さずに記載するものとする。
また、入出力制御部２４０は、「未格納スキャン文書」を「フォルダ」にドラッグする操作、及び、当該「フォルダ」においてドロップする操作などの入力を図１の入力装置１８から受け付ける。
入力装置１８によって「未格納スキャン文書」を「フォルダ」にドラッグするユーザ操作の入力が受け付けられ、入出力制御部２４０によってこのユーザ操作が送信された場合には、電子文書格納部２４２は、対応表記憶部２４４に記憶された対応表を読み出し、この対応表に基づいて、対応表の'格納先'のうち、「フォルダ」に対応するフォルダを、「未格納スキャン文書」に対応する未格納スキャン文書の格納先として指定する。
また、入力装置１８によって「未格納スキャン文書」を「フォルダ」においてドロップするユーザ操作の入力が受け付けられ、入出力制御部２４０によってこのユーザ操作が送信された場合には、電子文書格納部２４２は、「フォルダ」に対応するフォルダに、「未格納スキャン文書」に対応する未格納スキャン文書を格納する。
【００２４】
なお、入出力制御部２４０は、「未格納スキャン文書」を「フォルダ」から一定の距離の領域にドラッグ（及びドロップ）するユーザ操作の入力を入力装置１８から受け付けてもよい。
この場合、電子文書格納部２４２は、「フォルダ」からの距離に応じて、「フォルダ」に対応するフォルダを、「未格納スキャン文書」に対応する未格納スキャン文書の格納先として指定するか、「フォルダ」に対応するフォルダに、「未格納スキャン文書」に対応する未格納スキャン文書を格納する。
【００２５】
さらに、入力装置１８によって「未格納スキャン文書」が「フォルダ」にドラッグするユーザ操作の入力が受け付けられた後、入出力制御部２４０は、ドラッグされる前の位置において、「未格納スキャン文書」に対応する未格納スキャン文書をサムネイル表示し、「フォルダ」の近傍において、指定された'格納先'に対応する'雛型格納先'に格納されている雛型をサムネイル表示するとともに、未格納スキャン文書のサムネイル及び雛型のサムネイルにおいて、指定された'格納先'に対応する'領域'を拡大表示するよう、出力装置１６に出力される情報を制御する。
なお、各サムネイルが表示される位置は、上記に説明した位置に限定されず、サムネイルどうしが重ならないように表示される位置などであればよい。
【００２６】
図４は、図１の電子文書処理装置１上で動作する第１の電子文書処理プログラム２４の動作フロー（Ｓ１０）を示すフローチャートである。
図４に示すように、ステップ１００（Ｓ１００）において、図２の入出力制御部２４０が、図１の入力装置１８によって、スキャン文書を格納するユーザ操作の入力が受け付けられたか否かを判定する。ユーザ操作の入力が受け付けられた場合には、ステップ１０２の処理に進み、そうでない場合には、ステップ１００の処理を繰り返す。
ステップ１０２（Ｓ１０２）において、図２の電子文書格納部２４２は、ステップ１００で受け付けられたユーザ操作を実行する。具体的には、電子文書格納部２４２は、スキャン文書を文字認識した解析結果を用いて、図２の対応表記憶部２４４に記憶された対応表に基づいて、スキャン文書の種別を判断し、スキャン文書の種別に対応する格納先にスキャン文書を格納する。なお、スキャン文書が複数ある場合には、スキャン文書それぞれについて、ステップ１０２の処理を繰り返す。
【００２７】
ステップ１０４（Ｓ１０４）において、電子文書格納部２４２は、記憶装置１２に記憶された全てのスキャン文書がフォルダに格納されたか否かを判定する。全てのスキャン文書が格納された場合には、処理を終了し、未格納スキャン文書がある場合には、ステップ１０６の処理に進む。
ステップ１０６（Ｓ１０６）において、入出力制御部２４０は、未格納スキャン文書と、対応表の'格納先'に記載されたフォルダとをアイコンとして表示するよう、図１の出力装置１６に出力される情報を制御する。なお、ステップ１００の処理後、ステップ１０６の処理が行われてもかまわない。この場合、自動格納はなされず、手動格納のみがなされることになる。
【００２８】
ステップ１０８（Ｓ１０８）において、入出力制御部２４０が、入力装置１８によって、「未格納スキャン文書」を「フォルダ」にドラッグする、及び、当該「フォルダ」においてドロップするユーザ操作の入力が受け付けられたか否かを判定する。ユーザ操作の入力が受け付けられた場合には、ステップ１１０の処理に進み、そうでない場合には、ステップ１０８の処理を繰り返す。
ステップ１１０（Ｓ１１０）において、電子文書格納部２４２は、対応表の'格納先'のうち、ステップ１０８におけるドラッグ先の「フォルダ」に対応するフォルダを、ステップ１０８においてドラッグされた「未格納スキャン文書」に対応する未格納スキャン文書の格納先として指定する。
【００２９】
ステップ１１２（Ｓ１１２）において、入力装置１８によって「未格納スキャン文書」が「フォルダ」にドラッグする操作の入力が受け付けられた後、入出力制御部２４０は、ドラッグされる前の位置において、「未格納スキャン文書」に対応する未格納スキャン文書をサムネイル表示し、「フォルダ」の近傍において、指定された'格納先'に対応する'雛型格納先'に格納されている雛型をサムネイル表示するとともに、未格納スキャン文書のサムネイル及び雛型のサムネイルにおいて、指定された'格納先'に対応する'領域'を拡大表示するよう、出力装置１６に出力される情報を制御する。
【００３０】
ステップ１１４（Ｓ１１４）において、入出力制御部２４０は、入力装置１８によって、ステップ１１２においてドラッグされた「未格納スキャン文書」を「フォルダ」においてドロップするユーザ操作の入力が受け付けられたか否かを判定する。ユーザ操作の入力が受け付けられた場合には、ステップ１１０の処理に進み、そうでない場合には、ステップ１０８の処理に戻る。
ステップ１１６（Ｓ１１６）において、電子文書格納部２４２は、ステップ１１４におけるドロップ先の「フォルダ」に対応するフォルダに、ステップ１１４においてドロップされた「未格納スキャン文書」に対応する未格納スキャン文書を格納する。
ステップ１１８（Ｓ１１８）において、電子文書格納部２４２は、ステップ１０６においてアイコン表示された全ての未格納スキャン文書がフォルダに格納されたか否かを判定する。全ての未格納スキャン文書が格納された場合には、処理を終了し、そうでない場合には、ステップ１０８〜１１８の処理を繰り返す。
【００３１】
以下、図５を参照して、出力装置１６であるディスプレイ（不図示）に表示される画面例などを説明する。
図５Ａは、図４のステップ１０６において表示される画面例である。
図５Ａに示すように、「未格納スキャン文書」１６０と、スキャン文書を格納する「フォルダ」１６２（ここでは、「注文書」１６２−１、「納品書」１６２−２及び「請求書」１６２−３）とが表示される。
【００３２】
図５Ａの画面例においては、図５Ｂに示すように、「未格納スキャン文書」１６０は、矢印１６４の方向に沿って、「フォルダ」１６２（ここでは、「注文書」１６２−１）にドラッグすることができる。「フォルダ」１６２にドラッグされた場合、「未格納スキャン文書」１６０に対応する未格納スキャン文書及び「フォルダ」１６２に対応付けられる雛型はサムネイル表示及び拡大表示がなされる。さらに、「未格納スキャン文書」１６０は、「フォルダ」１６２においてドロップすることができる。「フォルダ」１６２においてドロップされた場合、「未格納スキャン文書」１６０に対応する未格納スキャン文書は、「フォルダ」１６２に対応するフォルダに格納される。
なお、以下、「フォルダ」１６２の階層数は１であるとしているが、２以上であってもかまわない。「フォルダ」１６２が「サブフォルダ」（不図示）を有する場合には、「サブフォルダ」のいずれかに「未格納スキャン文書」１６０がドラッグされたとき、サムネイル表示及び拡大表示がなされる。
【００３３】
図５Ｃは、図４のステップ１１２において表示される画面例である。
図５Ｃに示すように、「未格納スキャン文書」１６０が「フォルダ」１６２（ここでは、「注文書」１６２−１）にドラッグされる前の位置１６６において、「未格納スキャン文書」１６０に対応する未格納スキャン文書がサムネイル表示され、「フォルダ」１６２の近傍１６８において、「フォルダ」１６２に対応付けられる雛型がサムネイル表示されるとともに、「未格納スキャン文書」１６０に対応する未格納スキャン文書のサムネイル及び雛型のサムネイルにおいて、「フォルダ」１６２に対応付けられる領域（ここでは、上方中心に位置するタイトル部分）が拡大表示される。
【００３４】
図５Ｄは、図４のステップ１１２において表示される別の画面例である。
図５Ｄに示すように、「未格納スキャン文書」１６０が「フォルダ」１６２（ここでは、「納品書」１６２−２）にドラッグされる前の位置１６６において、「未格納スキャン文書」１６０に対応する未格納スキャン文書がサムネイル表示され、「フォルダ」１６２の近傍１６８において、「フォルダ」１６２に対応付けられる雛型がサムネイル表示されるとともに、「未格納スキャン文書」１６０に対応する未格納スキャン文書のサムネイル及び雛型のサムネイルにおいて、「フォルダ」１６２に対応付けられる領域（ここでは、上方左に位置するタイトル部分）が拡大表示される。
このように、文書の種別ごとに異なる領域が拡大表示されてもよい。
【００３５】
図５Ｅは、図４のステップ１１２において表示される別の画面例である。
図５Ｅに示すように、「未格納スキャン文書」１６０が「フォルダ」１６２（ここでは、「注文書」１６２−１）にドラッグされる前の位置１６６において、「未格納スキャン文書」１６０に対応する未格納スキャン文書がサムネイル表示され、「フォルダ」１６２の近傍１６８において、「フォルダ」１６２に対応付けられる雛型がサムネイル表示されるとともに、「未格納スキャン文書」１６０に対応する未格納スキャン文書のサムネイル及び雛型のサムネイルにおいて、「フォルダ」１６２に対応付けられる異なる複数の領域（ここでは、上方左に位置する取引先名の部分及び上方中心に位置するタイトル部分）が拡大表示される。
このように、異なる複数の領域が拡大表示されてもよい。なお、異なる複数の領域は、同時に拡大表示されてもよいし、一方の領域が拡大表示され、予め定められた時間が経過した後、もう一方の領域が拡大表示されることが繰り返されてもよい。
【００３６】
図５Ｆは、図４のステップ１１２において表示される別の画面例である。
図５Ｆに示すように、「未格納スキャン文書」１６０が「フォルダ」１６２（ここでは、「注文書」１６２−１）にドラッグされる前の位置１６６において、「未格納スキャン文書」１６０に対応する未格納スキャン文書がサムネイル表示され、「フォルダ」１６２の近傍１６８において、「フォルダ」１６２に対応付けられる雛型がサムネイル表示されるとともに、「未格納スキャン文書」１６０に対応する未格納スキャン文書のサムネイル及び雛型のサムネイルにおいて、「フォルダ」１６２に対応付けられる領域（ここでは、上方中心に位置するタイトル部分）がポップアップ表示される。
このように、領域はポップアップ表示されてもよい。
【００３７】
以下、図１の電子文書処理装置１上で動作する第２の電子文書処理プログラム２６を説明する。
第２の電子文書処理プログラム２６は、第１の電子文書処理プログラム２４と同様のソフトウエア構成を有する。
【００３８】
図６は、図１の電子文書処理装置１上で動作する第２の電子文書処理プログラム２６の動作フロー（Ｓ２０）を示すフローチャートである。
図６のステップ２００〜２０４及び２１２〜２１４（Ｓ２００〜２０４，２１２〜２１４）において、図４のステップ１００〜１０４及び１１６〜１１８（Ｓ１００〜１０４，１１６〜１１８）と同様の処理が行われる。
【００３９】
ステップ２０６（Ｓ２０６）において、図２の入出力制御部２４０は、未格納スキャン文書と、対応表の'表示文書格納先'に格納されている電子文書とをサムネイル表示し、未格納スキャン文書のサムネイル及び電子文書のサムネイルにおいて、'表示文書格納先'に対応する'領域'を拡大表示するよう、図１の出力装置１６に出力される情報を制御する。
例えば、入出力制御部２４０は、未格納スキャン文書と、対応表に記載されている'表示文書格納先'に格納されている雛型とを、同一ウィンドウ内でサムネイル表示するとともに、未格納スキャン文書のサムネイル及び雛型のサムネイルにおいて、雛型を格納する'表示文書格納先'に対応する'領域'を拡大表示するよう、出力装置１６に出力される情報を制御する。
【００４０】
なお、ステップ２０４における処理後、他のステップを経ていない場合には、入出力制御部２４０は、例えば、対応表の最上行に記載されている'表示文書格納先'に格納された雛型をサムネイル表示するよう、出力装置１６に出力される情報を制御する。
ステップ２０４における処理後、ステップ２０６〜２１０を経ている場合には、ステップ２１０における判定の繰り返し回数に応じて、入出力制御部２４０は、例えば、対応表の最上行から繰り返し回数と同じ行数ぶん下に記載されている'表示文書格納先'に格納された雛型をサムネイル表示するよう、出力装置１６に出力される情報を制御する。入出力制御部２４０は、ステップ２１０における判定が１回行われた後には、ステップ２０６において、対応表の最上行から１行下に記載されている'表示文書格納先'に格納された雛型をサムネイル表示するよう、出力装置１６に出力される情報を制御する。
【００４１】
ステップ２０８（Ｓ２０８）において、入出力制御部２４０は、未格納スキャン文書をステップ２０６でサムネイル表示された雛型に対応付けられるフォルダに格納するユーザ操作、及び、未格納スキャン文書と、ステップ２０６でサムネイル表示された雛型とは異なる雛型とをサムネイル表示するユーザ操作の入力を図１の入力装置１８から受け付ける。
例えば、入出力制御部２４０は、サムネイル表示された雛型に対応付けられるフォルダを未格納スキャン文書の格納先として決定するためのボタン、及び、未格納スキャン文書と、対応表の最上行から１行下に記載されている'雛型格納先'に格納された雛型とを、同一ウィンドウ内でサムネイル表示するためのボタンを表示するよう、出力装置１６に出力される情報を制御する。
【００４２】
ステップ２１０（Ｓ２１０）において、入出力制御部２４０は、ステップ２０８で入力装置１８が入力を受け付けたユーザ操作の内容を判定する。ステップ２０８において、フォルダに格納するユーザ操作の入力が受け付けられた場合には、ステップ２１２の処理に進み、サムネイル表示するユーザ操作の入力が受け付けられた場合には、ステップ２０６の処理に戻る。
【００４３】
以下、図７を参照して、図１の出力装置１６であるディスプレイ（不図示）に表示される画面例などを説明する。
図７Ａは、図６のステップ２０６において表示される画面例である。
図７Ａに示すように、同一ウィンドウ１７０内に、未格納スキャン文書のサムネイル１７２、フォルダに格納される文書の雛型（ここでは、納品書の雛型）のサムネイル１７４、前の雛型に戻るボタン１７６、次の雛型に進むボタン１７８、表示中の雛型１７４に対応付けられるフォルダを未格納スキャン文書１７２の格納先として決定する格納ボタン１８０、及び、ウィンドウ１７０を閉じるボタン１８２が表示される。なお、破線は無効化されていることを示す。ここでは、前の雛型が存在せず、戻るボタン１７６は無効化されている（次の雛型が存在しない場合も同様）。
【００４４】
図７Ａに示すように、未格納スキャン文書及び雛型はサムネイル表示され、さらに、雛型の格納先に対応付けられる領域（ここでは、タイトル部分）が拡大表示されている。
ここに示すように、未格納スキャン文書のサムネイルで拡大表示されている文字等が、雛型のサムネイルで拡大表示されている文字等とは異なる場合には、ユーザは、未格納スキャン文書は表示中の雛型に対応付けられるフォルダに格納されるべきではないと判断する。このような場合には、ユーザは、格納ボタン１８０を押下せず、進むボタン１７８を押下し、次の雛型が表示されるのを待つ。
【００４５】
図７Ｂは、図７Ａの画面例において、進むボタン１７８が押下された後に表示される画面例である。
図７Ｂに示すように、同一ウィンドウ１７０内に、未格納スキャン文書のサムネイル１７２、フォルダに格納される文書の雛型（ここでは、納品書の雛型）のサムネイル１７４、戻るボタン１７６、進むボタン１７８、格納ボタン１８０及び閉じるボタン１８２が表示される。
図７Ｂに示すように、未格納スキャン文書のサムネイルで拡大表示されている文字等が、雛型のサムネイルで拡大表示されている文字等とは異なる場合には、ユーザは、未格納スキャン文書は表示中の雛型に対応付けられるフォルダに格納されるべきではないと判断する。このような場合には、ユーザは、格納ボタン１８０を押下せず、進むボタン１７８を押下し、次の雛型が表示されるのを待つ。
【００４６】
図７Ｃは、図７Ｂの画面例において、進むボタン１７８が押下された後に表示される画面例である。
図７Ｃに示すように、同一ウィンドウ１７０内に、未格納スキャン文書のサムネイル１７２、フォルダに格納される文書の雛型（ここでは、納品書の雛型）のサムネイル１７４、戻るボタン１７６、進むボタン１７８、格納ボタン１８０及び閉じるボタン１８２が表示される。
図７Ｃに示すように、未格納スキャン文書のサムネイルで拡大表示されている文字等が、雛型のサムネイルで拡大表示されている文字等とは同じである場合には、ユーザは、未格納スキャン文書は表示中の雛型に対応付けられるフォルダに格納されると判断する。このような場合には、ユーザは、格納ボタン１８０を押下し、未格納スキャン文書を表示中の雛型に対応付けられるフォルダに格納する。
【００４７】
以上説明したプログラムについては、記録媒体に格納して提供してもよく、また、通信手段を介して提供してもよい。つまり、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ  Ｄｉｓｃ（登録商標））、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ）、フラッシュ・メモリ、ランダム・アクセス・メモリ（ＲＡＭ）等が含まれる。
【００４８】
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、以上説明したプログラムは、他のプログラムの一部分であってもよく、あるいは別個のプログラムと共に記録媒体に記録されていてもよい。また、複数の記録媒体に分割して記録されていてもよい。また、圧縮や暗号化など、復元可能であればどのような態様で記録されていてもよい。
【符号の説明】
【００４９】
１        電子文書処理装置
１０    ＣＰＵ
１２    メモリ
１４    記憶装置
１６    出力装置
１８    入力装置
２０    通信ＩＦ
２２    制御バス
２４    第１の電子文書処理プログラム
２４０  入出力制御部
２４２  電子文書格納部
２４４  対応表記憶部
２６  第２の電子文書処理プログラム
【図１】
0005477640.tif 000002
【図２】
0005477640.tif 000003
【図３】
0005477640.tif 000004
【図４】
0005477640.tif 000005
【図５Ａ】
0005477640.tif 000006
【図５Ｂ】
0005477640.tif 000007
【図５Ｃ】
0005477640.tif 000008
【図５Ｄ】
0005477640.tif 000009
【図５Ｅ】
0005477640.tif 000010
【図５Ｆ】
0005477640.tif 000011
【図６】
0005477640.tif 000012
【図７Ａ】
0005477640.tif 000013
【図７Ｂ】
0005477640.tif 000014
【図７Ｃ】
0005477640.tif 000015